(57)【要約】【課題】  門扉のパネル材の内側に、簡易で安価な方法で板材又は機能品に接続された板材を固定することができる板材取付構造を備えた門扉を提供する。【解決手段】  垂直な表面壁と、その表面壁の幅方向両端部から同一側に屈曲された垂直な側面壁と、表面壁の裏面に表面壁幅方向に隔てた位置に垂直方向に平行に形成された一対の屈曲縁と、その一対の屈曲縁により形成されて板材を挿入できる溝とを有する二つの形材を、各側面壁において接続して中空状のパネル材を構成し、表面壁の任意の位置に透孔を形成するとともに、透孔の下側において前記屈曲縁に表面壁に向かって止めねじをねじ込み又は前記屈曲縁の一部を表面壁側に切り起こして前記溝に挿入された板材の底辺を受け止める係止部を設け、その係止部よりも上側において前記屈曲縁に表面壁に向かって押さえねじをねじ込んで前記溝に挿入された板材を固定するようにした。【選択図】図２
2009180025.tif 000002
【特許請求の範囲】
【請求項１】
垂直な表面壁と、その表面壁の幅方向両端部から同一側に屈曲された垂直な側面壁と、前記表面壁の裏面にその表面壁の幅方向に隔てた位置に垂直方向に平行に形成された一対の屈曲縁と、その一対の屈曲縁により形成されて板材を挿入できる溝とを有する二つの形材を、前記各側面壁において接続して中空状のパネル材を構成し、
前記表面壁の任意の位置に透孔を形成するとともに、前記透孔の下側において前記屈曲縁に前記表面壁に向かって止めねじをねじ込み又は前記屈曲縁の一部を前記表面壁側に切り起こして前記溝に挿入された板材の底辺を受け止める係止部を設け、
その係止部よりも上側において前記屈曲縁に表面壁に向かって押さえねじをねじ込んで前記溝に挿入された板材を前記表面壁に固定するようにした、
ことを特徴とする門扉。
【請求項２】
パネル材は、同一形状の二つの形材を反転対称形に配置し、前記各側面壁の端部を重ね合わせ、その重ね合わせた部分においてビスで接続して構成されていることを特徴とする請求項１に記載の門扉。
【請求項３】
板材は、パネル材の透孔を塞ぐもの又はパネル材の中に取り付けられる機能品に接続されたものであることを特徴とする請求項１又は２に記載の門扉。
【発明の詳細な説明】
【技術分野】
【０００１】
本発明は、パネルの中に板材を固定する構造を備えた門扉に関する。
【背景技術】
【０００２】
門扉のパネルを構成する部材として、縦長中空材からなるパネル材を用い、そのパネル材の任意の位置に化粧用の一群の透孔を形成して、パネル面に透光性を付加した門扉が知られている。しかし、透孔は開けたままであると、これに幼児などが指を差し込む虞があるので、パネル材の内側に孔塞ぎ用の板材が取り付けられている。
【特許文献１】特になし
【発明の開示】
【発明が解決しようとする課題】
【０００３】
しかしながら、従来は、パネル材の内側に孔塞ぎ用の板材を取り付けるには、両面接着テープを用いて板材をパネルの内側面に接着していた。そのため、両面接着テープの経年変化により接着力が低下し、板材が落下するので、定期的に板材を接着し直す必要があり、手間がかかるという問題があった。
【０００４】
パネル材の内側に、単にパネル材の孔塞ぎ用の板材を取り付ける場合に限らず、現存はしていないが、将来開発される可能性のある門扉において、パネル材にインターホンの屋外機、監視カメラ、報知器などの機能品を取り付けるために、その機能品に接続された板材を取り付ける場合にも、同様の問題が生じることが予想される。
【０００５】
本発明は、上記の点に鑑みてなされたものであり、解決しようとする課題は、門扉のパネル材の内側に、簡易で安価な方法で板材又は機能品に接続された板材を固定することができる板材取付構造を備えた門扉を提供することにある。
【課題を解決するための手段】
【０００６】
上記課題は、垂直な表面壁と、その表面壁の幅方向両端部から同一側に屈曲された垂直な側面壁と、前記表面壁の裏面にその表面壁の幅方向に隔てた位置に垂直方向に平行に形成された一対の屈曲縁と、その一対の屈曲縁により形成されて板材を挿入できる溝とを有する二つの形材を、前記各側面壁において接続して中空状のパネル材を構成し、前記表面壁の任意の位置に透孔を形成するとともに、前記透孔の下側において前記屈曲縁に前記表面壁に向かって止めねじをねじ込み又は前記屈曲縁の一部を前記表面壁側に切り起こして前記溝に挿入された板材の底辺を受け止める係止部を設け、その係止部よりも上側において前記屈曲縁に表面壁に向かって押さえねじをねじ込んで前記溝に挿入された板材を前記表面壁に固定することにより、達成される。
【０００７】
パネル材は、同一形状の二つの形材を反転対称形に配置し、前記各側面壁の端部を重ね合わせ、その重ね合わせた部分においてビスで接続して構成されていることが望ましい。
【０００８】
前記板材は、パネル材の透孔を塞ぐものに限らず、パネル材の中に取り付けられる機能品に接続されたものであってもよい。
【発明の効果】
【０００９】
請求項１の発明によれば、溝に挿入した板材が、従来の接着テープなどで固定されるのとと異なり、屈曲縁に捩じ込まれた止めねじ又は屈曲縁の切り起こし片からなる係止部により受け止められるので、経年変化などにより板材が落下することもない。また、板材を止める係止部を容易に形成することができる。さらに、押えねじにより固定されるので、振動して騒音を発生することもない。
【００１０】
請求項２の発明によれば、パネル材は、同一形状の二つの形材を反転対称形に配置し、各側面壁の重ね合わせ部分においてビスで接続して構成されているので、パネル材の製造コストが安く、組立が容易である。
【００１１】
請求項３の発明によれば、パネル材の装飾用透孔が塞がれて、幼児などが指を差し込むことを防止でき、あるいは、パネル材の中にインターホンの屋外機や監視カメラの取付が可能である。
【発明を実施するための最良の形態】
【００１２】
次に、本発明の実施の形態について、図面に基づいて説明する。
図１は本発明の一実施例を示す門扉の正面図、図２は図１のＡ−Ａ断面図、図３は図２のＢ−Ｂ断面図、図４は板材を係止する係止部の他の例を示す要部の断面図である。
【００１３】
図１に示すように、本発明に係る門扉Ｄは、少なくとも一つの中空状のパネル材を有する。図示の例は、７本の同一の厚みを有する中空状のパネル材１１、１２、１３、１４…１７を横に並べて門扉のパネル１を構成し、各パネル材の上下端部を既知の方法により上下の框２，３に固定し、框２，３の両端部をそれぞれ縦框４，５に接続して、門扉Ｄが構成されている。
【００１４】
そして、いずれかのパネル材、図示の例では、門扉の幅方向中央のパネル材１４は、二つの形材を接続して、中に中空部を有するパネル材に形成されている。二つの形材は、異なる形状を有するものを接続して構成しても良いが、本発明の好ましい実施例は、図２に示すように、同一形状を有する二つの形材６をビスｂ１により接続して、中空状のパネル材となっている。形材６についてさらに詳しく説明すると、形材６は、門扉の正面側又は背面側に面する垂直な表面壁６１と、その表面壁の幅方向両端部から同一側に屈曲された垂直な側面壁６２，６３と、表面壁６１の側面壁６２，６３と同じ側の面の表面壁幅方向に隔てた位置にＬ字形に屈曲され、先端が互いに対向するように平行に形成された一対の屈曲縁６４，６５とを有し、その一対の屈曲縁６４，６５により、後述される板材７を挿入できる溝６６が形成されている。
【００１５】
そして、二つの形材６を反転対称形に配置し、それぞれの両側の側面壁６２，６３の端部同士を重ね合わせ、その重ね合わせた部分においてビスｂ１により接続してある。これにより、パネル材１４の中に密閉された空間部Ｈが形成されている。同一形状の二つの形材６を反転対称形に配置して、側面壁６２，６３の端部同士の重ね合わせた部分においてビスをねじ込むので、作業効率が良い。
【００１６】
パネル材１４には、図１、２に示すように、前後の表面壁６１に両側の屈曲縁６４，６５の間において、一例として方形の面積の中に多数の透孔６７が一例としてマトリックス状に形成されている。この例の透孔は装飾用であるので、透光性を有する任意の大きさの孔を所望するパターンに形成して良い。
【００１７】
そして、その透孔６７のすぐ下側において、屈曲縁６４，６５の表面壁６１に対向する部分に止めねじｂ２が表面壁方向にねじ込まれている。この止めねじｂ２は、溝６６に上方から挿入される板材７をその底辺に当たって止める係止部を構成するものである。係止部は、止めねじｂ２をねじ込むことに代えて、図４に示すように、屈曲縁６４，６５の表面壁６１に対向する部分を表面壁方向に切り起こして係止片６４’，６５’を形成することにより構成しても良い。この場合は、切り起こしの加工のみで済み、止めねじｂ２のねじ込みが不要である。
【００１８】
パネル材１４の上方から溝６６に矩形の板材７を挿入し、係止部（ｂ２又は６４’，６５’）により止めた後、その板材の高さ方向中間位置において屈曲縁６４，６５の表面壁６１に対向する部分に押さえねじｂ３をねじ込んで、その板材７を表面壁６１に押し付けて固定してある。
【００１９】
もちろん、止めねじｂ２のねじ込み、板材の挿入、押さえねじｂ３のねじ込みは、二つの形材６を接続する前に行われる。
【００２０】
上記の実施例は、パネル材１４の中に単に装飾用孔６７を塞ぐための板材７が取り付けられた例であるが、その板材７を好みの有色透明板にすると、これに照射する太陽光が反射又は透過して、門扉の意匠性を格段に向上させる。また、その前後の有色透明板の間に電球又は蛍光灯などの発光体(不図示)を備えることより、夜間の門扉に装飾性を付加したり、門扉の内外を照明することができる。
【００２１】
さらに、板材７に図示しないがインターホンの屋外機や監視カメラを接続することにより、門扉に対面して居る訪問者の音声をインターホンが良く拾うことができる。監視カメラは、一般的に門柱や門塀などに取り付けられるが、訪問者は門扉に対面していることが多いため、従来の監視カメラは訪問者の顔を良く撮影できない場合が多いが、本発明によれば、監視カメラが門扉に取り付けられるため、訪問者の顔を良く撮影することができるため、視認性に優れる。さらに、パネル材１４の中の板材に、防犯用報知器あるいはサイレンなどを取り付けることにより、これらを建物などに取り付ける場合よりも道路歩行者に対する訴求力に優れた防犯門扉の提供が可能である。
【図面の簡単な説明】
【００２２】
【図１】本発明の一実施例を示す門扉の正面図。
【図２】図１のＡ−Ａ断面図。
【図３】図２のＢ−Ｂ断面図。
【図４】板材を係止する係止部の他の例を示す要部の断面図。
【符号の説明】
【００２３】
Ｄ            門扉
１１〜１７    パネル材
１４          中空のパネル材
６            形材
６１          表面壁
６２，６３    側面壁
６４，６５    屈曲縁
６６          溝
６７          透孔
７            板材
ｂ２          止めねじ(係止部)
ｂ３          押さえねじ
【図１】
2009180025.tif 000003
【図２】
2009180025.tif 000004
【図３】
2009180025.tif 000005
【図４】
2009180025.tif 000006